(57)【要約】【課題】充電器へ携帯電話を装着する際に明瞭なクリック音が生じるようにする。【解決手段】充電器１のポケット部２の壁３の裏面に設けた溝軸受け１１にてロックレバー４の軸８を支持し、ロックレバーが上下動できるようにする。ロックレバーから左右へ突出する軸の一方につるまきバネ５を装着し、つるまきバネの両端を壁の裏面のバネ受け１２とロックレバーとに弾接させてロックレバーのくさび形爪部６をポケット部内へ突出させる。ポケット部へ携帯電話Ｔを挿入すると、くさび形爪部が携帯電話に押されて壁内に後退し、ロックレバー全体が押し下げられる。携帯電話の挿入が完了してくさび形爪部が携帯電話の凹部Ｒへ係合するとき、ロックレバーの前面の凸部９が壁の裏面に衝突するとともに軸が溝軸受けの上端に衝突してクリック音が発生する。【選択図】  図３
2004166451.tif 000002
【特許請求の範囲】
【請求項１】
携帯電話等の充電器におけるロック装置であって、充電器の被充電体装着部の壁の裏側にロックレバーを配置し、ロックレバーにバネを介装して壁の穴を通じてロックレバーの爪部を突出させ、被充電体の背面に形成した凹部へロックレバーの爪部を係合させて被充電体をロックするように構成した充電器のロック装置において、
前記被充電体装着部の壁と平行な溝軸受けによりロックレバーの軸を支持して軸の移動を許容し、壁の裏面に設けたバネ受けとロックレバーとにつるまきバネを介装することにより、壁の穴を通じてロックレバーの爪部を突出させるとともにロックレバーの軸を溝軸受けの終端に保持し、ロックレバーの回動時にロックレバーの軸が溝軸受け内を移動し、ロックレバーの初期位置復帰時にロックレバーの軸が溝軸受けの終端に衝突してクリック音を発生させるように構成した充電器におけるロック装置。
【請求項２】
上記ロックレバーの基部から左右へ突出する軸の一方につるまきバネを装着し、つるまきバネの一端を前記壁の裏面のバネ受けへ弾接させ、他端をロックレバーに弾接させて、壁の穴を通じてロックレバーの爪部を突出させた請求項１記載の充電器におけるロック装置。
【請求項３】
携帯電話等の充電器におけるロック装置であって、充電器の被充電体装着部の壁の裏側にロックレバーを配置し、ロックレバーにバネを介装して壁の穴を通じてロックレバーの爪部を突出させ、被充電体の背面に形成した凹部へロックレバーの爪部を係合させて被充電体をロックするように構成した充電器のロック装置において、
ロックレバーの先端部の前面に凸部を形成し、凸部の中央から前方へ突出する爪部を設け、ロックレバーの初期位置復帰時に凸部が前記壁の裏面に衝突してクリック音を発生させるように構成した充電器におけるロック装置。
【請求項４】
上記ロックレバーの爪部をくさび形とし、くさび形爪部と壁の穴とのカム作用によりロックレバーが初期位置に保持されるように構成した請求項１、２、または３記載の充電器におけるロック装置。
【発明の詳細な説明】
【０００１】
【発明の属する技術分野】
この発明は、携帯電話等の充電器に備えられているロック装置に関するものであり、特に、被充電体装着時にクリック音を発生させるようにした充電器におけるロック装置に関するものである。
【０００２】
【従来の技術】
例えば携帯電話の充電器は、携帯電話を収容するポケット部にロックレバーが設けられており、携帯電話の背面にある凹部にロックレバーが係合することにより携帯電話が充電器へ固定されるように構成されている（例えば特許文献１参照）。
【０００３】
充電器のポケット部の壁にはロックレバーが出入りする穴が形成されていて、壁の裏面に配置されたロックレバーはバネに付勢されて先端の爪部がポケット部内に突出している。充電器のポケット部に携帯電話を上方から挿入すると、携帯電話の底面角部がロックレバーの爪部に当たって爪部が壁内に引っ込み、携帯電話がポケット部の底面まで下降したときに、携帯電話の凹部がロックレバーの爪部の位置に達して爪部が凹部へ係合し、携帯電話がロックされる。携帯電話を取外すときは、携帯電話を持ち上げれば携帯電話の背面によりロックレバーの爪部が押されて壁内に引っ込み、爪部が凹部から外れて携帯電話が引抜かれる。
【０００４】
【特許文献１】特開２０００−０３２１０５号公報（段落番号０００２、段落番号００１３、図２、図４、図６、図７）
【０００５】
【発明が解決しようとする課題】
携帯電話等の充電器は、ロックレバーによって被充電体を固定し、充電器の電極と被充電体の電極との接触を保持するように形成されていて、ロック時のクリック感によって装着完了を認識できるようにしているが、クリック音が発生すれば音によっても装着完了を確認できて便利である。しかし、従来のロック装置は発音については特に考慮されておらず、ロックレバーの爪部の先端が携帯電話等の凹部へ衝突して音が発生することもあるが、堅固な被充電体の外筐を叩く音は小さく、音量も均一ではなく発音機能としては十分でない。また、音量を上げるためにバネ力を強くすると、ロックレバーの嵌合力も強くなって携帯電話等を着脱しにくくなるという問題が生じる。
【０００６】
そこで、携帯電話等を軽い力で着脱でき、且つ明瞭且つ均一なクリック音が生じるようにするために解決すべき技術的課題が生じてくるのであり、本発明は上記課題を解決することを目的とする。
【０００７】
【課題を解決するための手段】
この発明は、上記目的を達成するために提案するものであり、携帯電話等の充電器におけるロック装置であって、充電器の被充電体装着部の壁の裏側にロックレバーを配置し、ロックレバーにバネを介装して壁の穴を通じてロックレバーの爪部を突出させ、被充電体の背面に形成した凹部へロックレバーの爪部を係合させて被充電体をロックするように構成した充電器のロック装置において、前記被充電体装着部の壁と平行な溝軸受けによりロックレバーの軸を支持して軸の移動を許容し、壁の裏面に設けたバネ受けとロックレバーとにつるまきバネを介装することにより、壁の穴を通じてロックレバーの爪部を突出させるとともにロックレバーの軸を溝軸受けの終端に保持し、ロックレバーの回動時にロックレバーの軸が溝軸受け内を移動し、ロックレバーの初期位置復帰時にロックレバーの軸が溝軸受けの終端に衝突してクリック音を発生させるように構成した充電器におけるロック装置を提供するものである。
【０００８】
また、上記ロックレバーの基部から左右へ突出する軸の一方につるまきバネを装着し、つるまきバネの一端を前記壁の裏面のバネ受けへ弾接させ、他端をロックレバーに弾接させて、壁の穴を通じてロックレバーの爪部を突出させた充電器におけるロック装置を提供するものである。
【０００９】
また、携帯電話等の充電器におけるロック装置であって、充電器の被充電体装着部の壁の裏側にロックレバーを配置し、ロックレバーにバネを介装して壁の穴を通じてロックレバーの爪部を突出させ、被充電体の背面に形成した凹部へロックレバーの爪部を係合させて被充電体をロックするように構成した充電器のロック装置において、ロックレバーの先端部の前面に凸部を形成し、凸部の中央から前方へ突出する爪部を設け、ロックレバーの初期位置復帰時に凸部が前記壁の裏面に衝突してクリック音を発生させるように構成した充電器におけるロック装置を提供するものである。
【００１０】
また、上記ロックレバーの爪部をくさび形とし、くさび形爪部と壁の穴とのカム作用によりロックレバーが初期位置に保持されるように構成した充電器におけるロック装置を提供するものである。
【００１１】
【発明の実施の形態】
以下、この発明の実施の一形態を図に従って詳述する。図１は充電器１を示し、携帯電話を装着するポケット部２の底面にスプリング電極（図示せず）が配置されていて、スプリング電極が携帯電話の充電電極に接触して携帯電話内の充電池が充電される。ポケット部２の壁３の裏面にはロックレバー４が配置されており、ロックレバー４はつるまきバネ５によって前方へ付勢されていて、ロックレバー４の上端のくさび形爪部６が壁３に形成した角穴７を通じてポケット部２内に突出している。
【００１２】
図２はロックレバー４を示し、下端から左右へ延びる軸８が設けられており、上部には前方へ突出する台形の凸部９が形成されていて、凸部９の左右中央からさらに前方へ突出するくさび形爪部６が形成されている。
【００１３】
図１に示すように、充電器１の壁３の裏面には左右一対の軸受けブラケット１０が設けられており、軸受けブラケット１０の下端から上方へ向けて溝軸受け１１が形成されている。溝軸受け１１は上下に長い溝であり、溝軸受け１１に係合したロックレバー４の上下方向の動きを許容する。ロックレバー４の下端から左右へ突出する軸８の一方（図１（ａ）において左）にはつるまきバネ５が装着されており、つるまきバネ５の一端をロックレバー４の背面に係止し、左軸受けブラケット１０の上部に設けたバネ受け１２に他端を係止して、ロックレバー４を前方へ付勢している。初期状態ではくさび形爪部６が壁３の角穴７を通じてポケット部２内に突出し、凸部９の前面が壁３の裏面に弾接しており、軸８は溝軸受け１１の上側終端に接している。
【００１４】
続いて、ロック装置の動作を説明する。図１に示す初期状態の充電器１のポケット部２へ上方から携帯電話を挿入すると、図３に示すように携帯電話Ｔの底面と背面の角がロックレバー４のくさび形爪部６の上面に接し、くさび形爪部６の斜面のカム作用によりロックレバー４は後方へ回動する。これと同時に、軸８は上下方向へ移動可能であることから携帯電話Ｔの圧力によりロックレバー４が下降する。図示の例では左側の軸８につるまきバネ５が装着されているので、つるまきバネ５のバネ力の関係からバネを装着していない右側の軸５がより多く下降し、ロックレバー４は背面から見て右下がりの状態となる。また、左右両側の軸５につるまきバネを装着した場合はロックレバー４が左右平均に下降する。
【００１５】
そして、携帯電話Ｔの底面がポケット部２の底に接するまで下降したときに、図４に示すようにロックレバー４が前方へ回動してくさび形爪部６が携帯電話Ｔの背面の凹部Ｒに入るが、このとき、くさび形爪部６の下面が壁３の穴７の下縁に当たり、ロックレバー４はくさび形爪部６の斜面のカム作用によって初期位置へ引き上げられる。これにより、ロックレバー４の右側の軸８が溝軸受け１１の上側終端に衝突すると同時にロックレバー４の凸部９が壁３の裏面に衝突して、これらの軸８と凸部９によりクリック音が発生する。尚、軸受けブラケット１０並びに壁３を薄型に形成することにより、衝突による振動が大きくなってクリック音が増強される。また、前面面積が小さい凸部９を壁３に衝突させるので、単位面積あたりの圧力荷重が大きく、明瞭なクリック音が発生する。
【００１６】
このように、充電器１の筐体とロックレバー４とにより発音機構を構成しているので、ロックレバーを被充電体へ係合させてクリック音を生じさせる従来のロック機構よりも明瞭なクリック音が発生し、被充電体の装着完了を明確に認識することができる。
【００１７】
尚、この発明は上記の実施形態に限定するものではなく、この発明の技術的範囲内において種々の改変が可能であり、この発明がそれらの改変されたものに及ぶことは当然である。
【００１８】
【発明の効果】
以上説明したように、本発明の充電器におけるロック装置は、ロックレバーと充電器の筐体とによって発音機構を構成し、ロックレバーの軸や先端部を充電器の筐体に衝突させてクリック音を発生するようにしたので、ロックレバーのバネ力を強化することなく明瞭なクリック音を生じさせることができ、被充電体の装着完了を音で確認できることとなって操作性及び使用感が向上する。
【図面の簡単な説明】
【図１】本発明の充電器におけるロック装置の一形態を示し、（ａ）は背面図、（ｂ）は側面断面図である。
【図２】ロックレバーを示し、（ａ）は左側面図、（ｂ）は正面図、（ｃ）は右側面図、（ｄ）は背面図である。
【図３】ロック装置の動作を示す解説図であり、（ａ）は背面図、（ｂ）は側面断面図である。
【図４】ロック装置の動作を示す解説図であり、（ａ）は背面図、（ｂ）は側面断面図である。
【符号の説明】
１          充電器
２          ポケット部
３          壁
４          ロックレバー
５          つるまきバネ
６          くさび形爪部
７          角穴
８          軸
９          凸部
１０          軸受けブラケット
１１          溝軸受け
１２          バネ受け
Ｔ          携帯電話
Ｒ          凹部
【図１】
2004166451.tif 000003
【図２】
2004166451.tif 000004
【図３】
2004166451.tif 000005
【図４】
2004166451.tif 000006